(57)【要約】【課題】プラント稼働率をより向上させるプラント警報監視制御システムを提供する。【解決手段】ユーザの操作信号を出力する入力装置２０と、コントローラＣＴＲから供給された検出値と検出値名と検出時刻とが記録されるメモリＭと、メモリＭから供給された検出値を記録することにより更新される第１データベースＤＢ１と、入力装置２０から検出値を表示させる操作信号が供給されたときに第１データベースＤＢ１に記録されたデータが記録される第２データベースＤＢ２と、を備え、コントローラＣＴＲとネットワーク４０を介して接続された処理装置３０と、第２データベースＤＢ２から供給される検出値を、検出時刻操作手段１２Ａ、１２Ｂおよび画像と合わせて表示する出力装置１０と、を備え、ユーザが検出時刻操作手段１２Ａ、１２Ｂを操作したときに、ユーザによって選択された検出時刻の検出値を処理装置３０の第２データベースＤＢ２から出力装置１０に出力する。【選択図】図１
2011215832.tif 000002
【特許請求の範囲】
【請求項１】
監視対象に設置されたセンサと、
前記センサで検出された検出値が供給され、前記検出値と検出値名と検出時刻とを出力するコントローラと、
ユーザによって操作され、ユーザの操作信号を出力する入力装置と、
前記コントローラから供給された前記検出値と前記検出値名と前記検出時刻とが記録されるメモリと、前記メモリから供給された前記検出値と前記検出値名と前記検出時刻とを記録することにより更新される第１データベースと、前記入力装置から前記検出値を表示させる操作信号が供給されたときに前記第１データベースに記録された前記検出値と前記検出値名と前記検出時刻とが記録される第２データベースと、を備えた処理装置と、
前記コントローラと前記処理装置とが接続されたネットワークと、
前記第２データベースから供給される前記検出値と、前記検出値名と、検出時刻操作手段と、前記監視対象に対応する画像と、を表示する出力装置と、
を備え、
前記入力装置によりユーザが前記検出時刻操作手段を操作したときに、ユーザによって選択された検出時刻の前記検出値および前記検出値名を前記処理装置の前記第２データベースから前記出力装置に出力して、前記出力装置の表示を更新するように構成されたプラント警報監視制御システム。
【請求項２】
前記コントローラは、前記センサから供給された検出値が異常であるか否かを判断する手段と、前記検出値が異常である場合に前記検出値の検出値名と、前記検出値の異常発生時刻とを出力する手段と、を備え、
前記処理装置は、異常である前記検出値の検出値名と、前記検出値の異常発生時刻とを記録するアラームデータベースをさらに備え、
前記出力装置は、前記アラームデータベースに記録された異常である前記検出値の検出値名および異常発生時刻をユーザが選択可能な画面を表示させるように構成され、
前記入力装置を操作してユーザが異常である前記検出値の検出値名および異常発生時刻を選択したときに、前記処理装置は、ユーザによって選択された異常発生時刻の前記検出値を前記第２データベースから前記出力装置に出力するように構成された請求項１記載のプラント警報監視制御システム。
【請求項３】
前記コントローラは、前記センサから供給された検出値が異常であるか否かを判断する手段と、前記検出値が異常である場合に前記検出値の検出値名と、前記検出値の異常発生時刻とを出力する手段と、を備え、
前記処理装置は、異常である前記検出値の検出値名と、前記検出値の異常発生時刻とを記録するアラームデータベースをさらに備え、
前記出力装置は、前記アラームデータベースに記録された前記異常発生時刻を前記検出時刻操作手段と合わせて表示するように構成された請求項１記載のプラント警報監視制御システム。
【請求項４】
前記出力装置は、前記検出時刻操作手段として再生ボタン、逆再生ボタン、および停止ボタンを表示させる手段をさらに備え、
前記処理装置は、ユーザが前記入力装置を操作して再生ボタンを選択したときに、検出時刻が進む順に前記第２データベースから前記出力装置に前記検出値を送信し、ユーザが前記入力装置を操作して逆再生ボタンを選択したときに、検出時刻が戻る順に前記第２データベースから前記出力装置に前記検出値を送信し、ユーザが前記入力装置を操作して停止ボタンを選択したときに、前記第２データベースから前記出力装置へ前記検出値を送信することを停止するように構成された請求項１記載のプラント警報監視制御システム。
【発明の詳細な説明】
【技術分野】
【０００１】
本発明は、プラント警報監視制御システムに関する。
【背景技術】
【０００２】
石油・化学プラントのような大規模プラントを安定かつ安全に操業するように、監視するとともに制御するシステムを監視制御システムと呼んでいる。この監視制御システムは、例えば、プラント入出力を自動検知するためのセンサ、プラント入出力を制御するコントローラ、および、それらを警報・監視・遠隔制御操作するためのプラント警報監視制御装置をネットワークで繋いで構成される（例えば特許文献１参照）。
【０００３】
プラント監視制御装置の操業は基本的に人間を介さず自動的にコントローラによって行なわれ、ユーザによって異常が検知された場合等の緊急停止を含む最終的な判断は管理者によって行なわれる。このように、プラント警報監視制御装置は機械と人間とを仲介することから、ヒューマン・マシン・インターフェースとも呼ばれる。
【０００４】
プラント警報監視制御装置は、例えばパーソナルコンピュータ（ＰＣ）などの処理装置と、処理装置での処理結果をユーザに表示するモニタ画面（出力装置）と、ユーザが装置を操作するためのマウスやキーボードなどの入力装置とで構成されている。例えば、ユーザはマウスを使い、画面上に配置されたボタンをクリックすることで装置を簡単に扱うことができる。
【０００５】
プラント警報監視装置の役割は、警報、監視、遠隔制御操作に大別される。そのため、プラント警報監視装置は上記役割を果たすために様々な機能を有している。例えば、プラント警報監視装置の処理装置は、対象プラントシステムの全体または一部をグラフィックとして表現し、その中にセンサやコントローラから受信したデータを周期的に更新して表示することで、ユーザに分かりやすく現在情報を伝達するグラフィック画面を出力装置に出力させる。
【０００６】
また、プラント警報監視装置の処理装置は、センサやコントローラから受信した一部のデータを横軸が時間軸の一次元あるいは多次元のグラフで表現するヒストリカルトレンド画面、ユーザがセンサやコントローラなどのデータで注意・喚起が必要な水準値に達した場合にユーザに異常状態を知らせるアラーム確認画面、および、過去に生じた異常状態の履歴を表示するアラーム履歴画面を出力装置に出力させる。
【先行技術文献】
【特許文献】
【０００７】
【特許文献１】特開２００９−３０１２４９号公報
【発明の概要】
【発明が解決しようとする課題】
【０００８】
プラント警報監視制御システムにおいて過去に発生したアラームは、プラントに内在する不具合やそれによって生じうる故障をユーザに事前に喚起するための貴重な情報である。ユーザがプラントデータ（グラフィック画面やヒストリカルトレンド画面やアラーム履歴画面上に表示されるデータ）を定期的に保存し、不具合や故障時のデータパターン蓄積することは可能であるが、プラントにおいてアラームが同時期あるいは波及的に発生した場合にその原因を調査するのは困難であった。
【０００９】
例えば、あるユーザがアラーム履歴画面から特定のアラームを調査する場合、ヒストリカルトレンド画面上でグラフを遡って調査する作業が必要であり、プラント全体としての不具合を認識するのが困難であった。
【００１０】
また、共有メモリ内に記録されたデータは、コントローラＣＴＲから供給される最新データにより、周期的に更新される。そのため、グラフィック画面の表示内容も、共有メモリ内に記録されたデータの更新タイミングに対応して更新される。すなわち、処理装置は、周期的に共有メモリにアクセスして検出値名に対応するデータを検出し、その検出値名を含むデータを読出して、出力装置の表示部に表示される画面を更新させる。したがって、表示部に表示すべきデータが古いものから順に表示されなくなり、調査対象とすべきデータを表示することができない場合があった。
【００１１】
本発明は上記事情に鑑みて成されたものであって、過去のプラント状態を迅速に把握することができ、プラント稼働率をより向上させるプラント警報監視制御システムを提供することを目的とする。
【課題を解決するための手段】
【００１２】
本発明の一態様によるプラント警報監視制御システムは、監視対象に設置されたセンサと、前記センサで検出された検出値が供給されるコントローラと、ユーザによって操作され、ユーザの操作信号を出力する入力装置と、前記コントローラから供給された前記検出値と検出値名とが記録されるメモリと、前記メモリから供給された検出値と検出値名とを、検出時刻と合わせて記録することにより更新される第１データベースと、前記入力装置から前記検出値を表示させる操作信号が供給されたときに前記第１データベースに記録されたデータが記録される第２データベースと、を備え、前記コントローラとネットワークを介して接続された処理装置と、前記第２データベースに記録された前記検出値が供給され、前記検出値と、検出時刻操作手段とを前記監視対象に対応する画像とを表示させる出力装置と、を備え、前記入力装置を操作してユーザが前記検出時刻操作手段を操作したときに、ユーザによって選択された検出時刻の前記検出値を前記処理装置の前記第２データベースから前記出力装置に出力するように構成されている。
【発明の効果】
【００１３】
本発明によれば、過去のプラント状態を迅速に把握することができ、プラント稼働率をより向上させるプラント警報監視制御システムを提供することができる。
【図面の簡単な説明】
【００１４】
【図１】本発明の一実施形態に係るプラント警報監視制御システムの一構成例について説明するための図である。
【図２】グラフィック画面の一例について説明するための図である。
【図３】ヒストリカルトレンド画面の一例について説明するための図である。
【図４】アラーム履歴の一例について説明するための図である。
【図５】本発明の第１実施形態に係るプラント警報監視制御システムにおいて、表示されるグラフィック画面の一例を示す図である。
【図６】本発明の第１実施形態に係るプラント警報監視制御システムにおいて、グラフィック画面を表示する動作について説明するための図である。
【図７】本発明の第１実施形態に係るプラント警報監視制御システムにおいて、図６に示す動作により表示されるグラフィック画面の一例を示す図である。
【図８】本発明の第２実施形態に係るプラント警報監視制御システムにおいて、アラーム履歴画面から、グラフィック画面又はヒストリカルトレンド画面を表示する動作について説明するための図である。
【図９】本発明の第３実施形態に係るプラント警報監視制御システムにおいて、表示されるグラフィック画面の一例を示す図である。
【図１０】本発明の第３実施形態に係るプラント警報監視制御システムにおいて、グラフィック画面を表示する動作について説明するための図である。
【図１１】本発明の第３実施形態に係るプラント警報監視制御システムにおいて、ヒストリカルトレンド画面を表示する動作について説明するための図である。
【図１２】本発明の第４実施形態に係るプラント警報監視制御システムにおいて、表示されるグラフィック画面の一例を示す図である。
【発明を実施するための形態】
【００１５】
以下、本発明の第１実施形態に係るプラント警報監視制御システムについて、図面を参照して説明する。本実施形態に係るプラント警報監視制御システムは、図１に示すように、プラント警報監視制御装置ＨＭＩと、ネットワーク４０を介してプラント警報監視制制御装置ＨＭＩと通信可能に接続されたコントローラＣＴＲと、監視対象のプラントに設置され、コントローラＣＴＲに検出値を供給するセンサＳＳと、を備えている。コントローラＣＴＲは、センサＳＳから供給された検出値およびその検出値名をプラント警報監視制御装置ＨＭＩに供給する。
【００１６】
プラント警報監視制御装置ＨＭＩは、画像を表示する表示部を備えた出力装置１０と、ユーザ操作に対応する操作信号を出力する入力装置２０と、入力装置２０から供給される指令信号およびコントローラＣＴＲから供給される制御信号により、出力装置１０の表示部に所定の処理結果を表示させる処理装置３０と、を備えている。
【００１７】
処理装置３０は、出力装置１０の表示部に表示させる画像信号を出力する。出力装置１０の表示部には、例えば図２乃至図４に示すようなグラフィック画面１２、ヒストリカルトレンド画面１４、および、アラーム履歴画面１６が表示される。グラフィック画面１２は、監視する対象プラントの全体または一部をグラフィック画像として表現し、その中にセンサＳＳやコントローラＣＴＲから受信したデータを表示させる画面である。
【００１８】
図２に示すグラフィック画面１２には、プラントの一部のグラフィック画像、検出時刻、センサＳＳで検出されたデータの検出値名（ＭＶ）と検出値（４０％）、および、監視対象の状態が表示されている。グラフィック画像にはセンサＳＳで検出された検出値が棒グラフとして合わせて表示されている。なお、ここでは検出値を割合（％）として表示させているが、検出値をそのまま表示させてもよい。
【００１９】
ヒストリカルトレンド画面１４は、センサやコントローラから受信した一部のデータを一次元あるいは多次元のグラフで表現する画面である。図３に示すヒストリカルトレンド画面１４には、例えば横軸が時間、縦軸がセンサＳＳで検出されたデータ（ＭＶ値）の値が二次元のグラフで示されている。横軸近傍に表示された三角形のカーソルは、時刻に対応している。例えば、図３では三角形のカーソルが示す時刻においてＭＶ値が４０％であることが表示されている。また、ユーザは、入力装置２０を操作することにより、表示されたグラフを移動させて検出されたデータの過去の傾向を遡って参照することができる。
【００２０】
図４には、アラーム履歴画面１６の一例を示す。アラーム履歴画面１６は、過去に発生した異常状態の履歴が表示される。図４では、異常状態の履歴は、例えば発生した時刻の順に並べて表示されている。アラーム履歴画面では、ユーザによって安全であると確認され、入力装置２０の操作により確認ボタン（図示せず）を押すなどを行うことでアラーム履歴画面１６のフリッカー（点灯）表示が解除される。
【００２１】
図１に示す処理装置３０は、共有メモリＭと、第１データベースＤＢ１と、第２データベースＤＢ２と、アラームデータベースＤＢＡとを備えている。共有メモリＭには、コントローラＣＴＲから供給されたデータ（センサＳＳの検出値、検出値名、および検出時刻）が記録されている。
【００２２】
第１データベースＤＢ１には、共有メモリＭ上にあるデータが記録され、周期的に更新される。第１データベースＤＢ１に記録される検出時刻は、コントローラＣＴＲから供給されたデータに含まれていても良く、第１データベースＤＢ１に検出値等が記録された時刻としても良い。共有メモリＭから第１データベースＤＢ１に記録されるデータは、最も新しいものから一定期間内のデータである。
【００２３】
第２データベースＤＢ２には、ユーザが入力装置２０により後述する所定の操作を行なった場合に、第１データベースＤＢ１内のデータが記録される。第２データベースＤＢ２内に記録されるデータは、ユーザが再び所定の操作を行うまで更新されない。
【００２４】
アラームデータベースＤＢＡには、監視対象であるプラントにおいて、センサＳＳによって検出された検出値が異常であるか否かが発生した場合に、そのアラームデータ（異常が発生した検出値、検出値の名称、アラーム発生時刻等）が記録される。コントローラＣＴＲは、センサＳＳによって検出された検出値が異常であるかを判断し、異常であると判断した場合のみアラームデータを出力する。
【００２５】
上記のプラント警報監視制御装置ＨＭＩにおいて、グラフィック画面１２を表示させる際には、ユーザが入力装置２０を操作して例えば検出値名を指定することにより、表示させる検出値が特定される。例えば、ユーザはプラント全体のグラフィック画像を表示する画面において、マウスやキーボードを操作することによりグラフィック画像の一部を選択して、グラフィック画面１２として表示させる検出値を特定することができる。
【００２６】
この場合、プラント全体のグラフィック画像の一部には、検出値名を含むデータ群であるタグが対応付けられている。処理装置３０は、入力装置２０からグラフィック画面１２を表示させる操作信号に応じて、第１データベースＤＢ１にアクセスして第１データベースＤＢ１内に表示させる検出値があった場合に、第１データベースＤＢ１に記録されている検出値等のデータを第２データベースＤＢ２に記録させる。このとき、処理装置は、グラフィック画面でユーザが選択した部分に対応付けられたタグの検出値名に基づいて、第１データベースＤＢ１内に検出値を検索する。
【００２７】
続いて、処理装置３０は、第２データベースＤＢ２にアクセスし、ユーザの入力装置２０の操作により特定された検出値名を含む検出値データを検索する。処理装置３０は、検索された検出値名を含むデータを読出し、出力装置１０の表示部にグラフィック画面１２として表示させる。
【００２８】
さらに、処理装置３０は、検出時刻操作手段として、現在時刻情報および検出時刻情報からスクロールバー１２Ａとカーソル１２Ｂとを表示させる。処理装置３０は、出力装置１０に、三角形状のカーソル１２Ｂの位置をスクロールバー１２Ａと対応させて表示する。ユーザは、スクロールバー１２Ａのカーソルを左右に移動させたり、三角形状のカーソル１２Ｂをマウスやキーボード操作によって移動させたりして、グラフィック画面１２に表示されるデータを変更させることができる。
【００２９】
図６に示す例に沿って具体的に説明する。図６に示すように、共有メモリＭにはコントローラＣＴＲから最新のデータが記録されている。この最新のデータは、第１データベースＤＢ１にも既に記録されている。処理装置３０は、共有メモリＭから第１データベースＤＢ１にデータを記録する際に、時刻情報を合わせて記録する。図６では、時刻情報として年月日情報が記録されている。この時刻情報は、センサＳＳが検出値を検出した時刻であり、コントローラＣＴＲから共有メモリＭに送信される情報である。
【００３０】
この状態で、ユーザにより、検出値名Ａ、検出値名Ｂ、および、検出値名Ｃについてグラフィック画面１２を表示させるように入力装置２０が操作されると、入力装置２０からグラフィック画面１２を表示する操作信号が処理装置３０に供給される。
【００３１】
指令信号を受信した処理装置３０は、第１データベースＤＢ１内に表示させるデータが存在した場合、その時点において第１データベースＤＢ１に記録されたデータと同じデータを、第２データベースＤＢ２に記録させる。続いて、処理装置３０は第２データベースＤＢ２にアクセスして、ユーザにより特定された検出値名Ａ、検出値名Ｂ、および、検出値名Ｃを含むデータを検索する。検索した結果、検出値名Ａ、検出値名Ｂ、および、検出値名Ｃを含むデータがあった場合には、出力装置１０の表示部にグラフィック画面１２を表示させる。
【００３２】
図７に、図６に示すように処理装置３０が信号処理を行なった場合に表示されるグラフィック画面１２の一例を示す。図７に示すグラフィック画面１２には、検出値名Ａ、検出値名Ｂ、および、検出値名Ｃに対応する検出値、スクロールバー１２Ａ、および、カーソル１２Ｂが表示されている。スクロールバー１２Ａ、および、カーソル１２Ｂは、最初に最新のデータを表示する位置に設定される。
【００３３】
処理装置３０は、最初に最新（２００９年７月１３日）のデータに対応する検出値を表示させるとともに、スクロールバー１２Ａのカーソルや、三角形状のカーソル１２Ｂの位置が最新データの時刻情報に対応する位置となるように表示させる。
【００３４】
このとき、ユーザは、グラフィック画面１２に表示されたスクロールバー１２Ａやカーソル１２Ｂを操作して、表示されているデータの時刻情報を遡って表示を変更させることができる。例えば、ユーザがスクロールバー１２Ａを操作して、カーソルを紙面に向かって左方向に移動させると、カーソルの位置に割り付けられた時刻情報に基づいて２００９年７月１２日のデータに対応する検出値が表示される。ユーザがさらにカーソルを左方向に移動させると、カーソルの位置に割り付けられた時刻情報に基づいて２００９年７月１１日のデータに対応する検出値が表示される。
【００３５】
上記のように、図７に示すようにスクロールバーを操作することで時刻を指示するカーソルを移動させ、過去のグラフィック画面を表示させて、過去のグラフィック画面を再現できるようにすると、過去のプラント全体を直感的に把握できるようになる。このように本実施形態に係る警報監視制御システムによれば、過去のプラント状態を迅速に把握することができ、プラント稼働率をより向上させるプラント警報監視制御システムを提供することができる。
【００３６】
次に、本発明の第２実施形態に係るプラント警報監視制御システムについて図面を参照して以下に説明する。なお、以下の説明において、上述の第１実施形態に係るプラント警報監視制御システムと同様の構成については同一の符号を付して説明を省略する。
【００３７】
本実施形態に係るプラント警報監視制御システムは、上述の第１実施形態に係るプラント警報監視制御システムと同様に、プラント警報監視制御装置ＨＭＩと、ネットワーク４０を介してプラント警報監視規制制御装置ＨＭＩと通信可能に接続されたコントローラＣＴＲと、監視対象であるプラントに設置され、コントローラＣＴＲに検出値を供給するセンサＳＳと、を備えている。
【００３８】
本実施形態のプラント警報監視制御装置ＨＭＩでは、アラーム履歴画面１６からグラフィック画面１２を表示させる。まず、ユーザがアラーム履歴画面１６を表示させるように入力装置２０を操作すると、処理装置３０はアラームデータベースＤＢＡにアクセスし、図８に示すように、アラームデータベースＤＢＡ内のデータをアラーム履歴画面１６に表示させる。アラーム履歴画面１６には、検出値名とその検出値名に対応するアラーム発生時刻とが表示される。
【００３９】
アラームデータベースＤＢＡには、コントローラＣＴＲからアラームが発生する度に新規なデータが書き込まれる。処理装置３０は、周期的にアラームデータベースＤＢＡにアクセスし、アラーム履歴画面１６の表示を更新させるため、アラームデータベースＤＢＡに新規書き込みがあれば、アラーム履歴画面１６も更新される。
【００４０】
表示部に表示されたアラーム履歴画面１６のアラーム発生時刻表示部分は選択可能なボタン１６Ａである。ユーザが入力装置２０を操作してボタン１６Ａを選択すると、処理装置３０は入力装置２０から供給された操作信号に基づいて、データベースＤＢ１にアクセスし、対応するデータを検索する。対応するデータがある場合、処理装置３０は、データベースＤＢ１に記録されているデータをデータベースＤＢ２に記録する。
【００４１】
処理装置３０は、データベースＤＢ２にアクセスして、表示させるアラーム情報の時刻情報に基づいて、上記第１実施形態と同様にグラフィック画面１２を表示させる。このとき、グラフィック画面１２のスクロールバー１２Ａやカーソル１２Ｂは、表示されるアラームの時刻が、スクロールバー１２Ａの長手方向における中央部となるように、表示される。
【００４２】
同様に、アラーム履歴画面１６からヒストリカルトレンド画面１４を表示させることも可能である。ユーザが入力装置２０を操作して、アラーム履歴画面１６の時刻情報のボタン１６Ａを選択すると、処理装置３０は入力装置２０から供給された操作信号に基づいて、データベースＤＢ１にアクセスし、対応するデータを検索する。対応するデータがある場合、処理装置３０は、データベースＤＢ１に記録されているデータをデータベースＤＢ２に記録する。
【００４３】
処理装置３０は、データベースＤＢ２にアクセスして、表示させるアラーム情報の時刻情報に基づいて、ヒストリカルトレンド画面１４を表示させる。このとき、ヒストリカルトレンド画面１４の三角形状のカーソル１４Ａは、表示されるアラームの時刻が、時間軸方向における画面の中央部となるようにグラフを表示する。
【００４４】
上記のように、アラーム履歴画面１６において表示されたアラーム発生時刻部分をボタン１６Ａ化し、ユーザがこのボタン１６Ａを選択することによりアラーム発生時刻前後のヒストリカルトレンド画面１４、あるいは、アラーム発生時刻のグラフィック画面を表示させる。これにより、ユーザはアラーム発生時刻における当該データおよびプラント全体の挙動を即座かつ直感的に把握することができる。
【００４５】
このように本実施形態に係る警報監視制御システムによれば、過去のプラント状態を迅速に把握することができ、プラント稼働率をより向上させるプラント警報監視制御システムを提供することができる。
【００４６】
次に、本発明の第３実施形態に係るプラント警報監視制御システムについて図面を参照して以下に説明する。本実施形態に係るプラント警報監視制御システムは、上述の第１実施形態に係るプラント警報監視制御システムと同様に、プラント警報監視制御装置ＨＭＩと、ネットワーク４０を介してプラント警報監視規制制御装置ＨＭＩと通信可能に接続されたコントローラＣＴＲと、監視対象のプラントに設置され、コントローラＣＴＲに検出値を供給するセンサＳＳと、を備えている。
【００４７】
図９に、表示部に表示されるグラフィック画面１２の一例を示す。本実施形態に係るプラント警報監視制御システムでは、グラフィック画面１２に時間軸ＴＢと、時間軸の近傍に配置された三角形状のカーソル１２Ｃとが表示されている。カーソル１２Ｃは、グラフィック画面１２に表示されているデータについて、アラームが発生した時刻を示している。
【００４８】
図１０を用いて、図９のグラフィック画面１２を表示させる動作の一例を説明する。本実施形態では、ユーザがグラフィック画面１２を表示させるように入力装置２０を操作すると、第１データベースＤＢ１に表示させるデータが存在した場合、第１データベースＤＢ１に記録されたデータが第２データベースＤＢ２に記録される。
【００４９】
続いて、処理装置３０は、第２データベースＤＢ２にアクセスし、第２データベースＤＢ２内の対応する検出値名を含むデータを読出し、出力装置１０の表示部にグラフィック画面１２として表示させる。
【００５０】
さらに、処理装置３０は、現在時刻情報および検出時刻情報からスクロールバー１２Ａを表示させるとともに、三角形状のカーソル１２Ｂの位置をスクロールバーと対応させて表示する。ユーザは、スクロールバー１２Ａのカーソルを左右に移動させたり、三角形状のカーソル１２Ｂをマウスやキーボード操作によって移動させたりして、グラフィック画面１２に表示されるデータを変更させることができる。
【００５１】
さらに、本実施形態では、処理装置３０は、アラームデータベースＤＢＡにアクセスし、検出値名と、その検出値についてアラームが発生した時刻を取得し、グラフィック画面の時間軸ＴＢのアラーム発生時刻に対応する位置にカーソル１２Ｃを表示させる。カーソル１２Ｂとカーソル１２Ｃとは例えば異なる色や異なる階調で表示される。ユーザは、カーソル１２Ｃによりアラーム発生時刻を認識した上で、カーソル１２Ｂの位置を操作して検出値の調査を行なうことができる。このようにカーソル１２Ｃを表示させることによって、ユーザがグラフィック画面１２だけを見て、アラーム発生時刻、アラーム発生回数、アラーム発生タイミング等が分かるようにすることができる。
【００５２】
図１１を用いて、同様に、ヒストリカルトレンド画面１４にもアラーム発生時刻に対応する位置にカーソル１４Ｂを表示させる動作の一例を説明する。ユーザがヒストリカルトレンド画面１４を表示させるように入力装置２０を操作すると、第１データベースＤＢ１に記録されたデータが第２データベースＤＢ２に記録される。続いて、処理装置３０は、第２データベースＤＢ２にアクセスし、ユーザの入力装置２０操作により特定された検出値名を含むデータを検索する。第２データベースＤＢ２内に、対応する検出値名があった場合、処理装置３０は、その検出値名を含むデータを読出し、出力装置１０の表示部にヒストリカルトレンド画面１４として表示させる。
【００５３】
さらに、処理装置３０は、三角形状のカーソル１４Ａの位置をグラフの横軸（時間軸）に合わせて表示する。図１１では、最新のデータの時刻の位置にカーソル１４Ａが表示されている。ユーザは、三角形状のカーソル１４Ａをマウスやキーボード操作によって移動させたりして、ヒストリカルトレンド画面１４に表示されるデータを変更させることができる。
【００５４】
さらに、本実施形態では、処理装置３０は、アラームデータベースＤＢＡにアクセスし、検出値名と、その検出値についてアラームが発生した時刻を取得し、グラフィック画面の時間軸ＴＢのアラーム発生時刻に対応する位置にカーソル１４Ｂを表示させる。カーソル１４Ａとカーソル１４Ｂとは例えば異なる色や異なる階調で表示される。ユーザは、カーソル１４Ｂによりアラーム発生時刻を認識した上で、カーソル１４Ａの位置を操作して検出値の調査を行なうことができる。このようにカーソル１４Ｂを表示させることによって、ユーザがヒストリカルトレンド画面１４だけを見て、アラーム発生時刻、アラーム生回数、アラーム発生タイミング等が分かるようにすることができる。
【００５５】
このように本実施形態に係る警報監視制御システムによれば、アラーム発生時刻を認識した上で過去のプラント状態を迅速に把握することができ、プラント稼働率をより向上させるプラント警報監視制御システムを提供することができる。
【００５６】
次に、本発明の第４実施形態に係るプラント警報監視制御システムについて、図面を参照して以下に説明する。本実施形態に係るプラント警報監視制御システムは、上述の第１実施形態に係るプラント警報監視制御システムと同様に、プラント警報監視制御装置ＨＭＩと、ネットワーク４０を介してプラント警報監視規制制御装置ＨＭＩと通信可能に接続されたコントローラＣＴＲと、監視対象のプラントに設置され、コントローラＣＴＲに検出値を供給するセンサＳＳと、を備えている。
【００５７】
本実施形態に係るプラント警報監視制御システムでは、グラフィック画面１２下部に検出時刻操作手段としての操作ボタン１２Ｄが表示される。操作ボタン１２Ｄは、再生ボタンＰと逆再生ボタンＲと停止ボタンＳとを備えている。
【００５８】
ユーザが入力装置２０を操作して再生ボタンＰを選択すると、処理装置３０は第２データベースＤＢ２にアクセスして自動で周期的にスクロールバー１２Ａのカーソルをデータの時刻情報が進む方向（紙面に向かって右方向）に移動させる。処理装置３０はスクロールバー１２Ａのカーソルの位置に合わせて、グラフィック画面１２に表示させるデータも更新させる。また、処理装置３０は第２データベースＤＢ２内に記録された最新のデータがグラフィック画面１２に表示された状態で、画面の更新を停止する。
【００５９】
ユーザが入力装置２０を操作して逆再生ボタンＲを選択すると、処理装置３０は第２データベースＤＢ２にアクセスして自動で周期的にスクロールバー１２Ａのカーソルをデータの時刻情報が戻る方向（紙面に向かって左方向）に移動させる。処理装置３０はスクロールバー１２Ａのカーソルの位置に合わせて、グラフィック画面１２に表示させるデータも更新させる。第２データベースＤＢ２内に記録された最も古いデータがグラフィック画面１２に表示された状態で、画面の更新を停止する。
【００６０】
また、ユーザが入力装置２０を操作して停止ボタンＳを選択すると、処理装置３０はその時点でスクロールバー１２Ａのカーソルの移動を停止して、画面の更新を停止させる。このように、本実施形態では、ユーザの操作により過去のプラント状態を自動再生させることが可能となる。これにより、ユーザが行うプラント異常調査をより簡単化することができる。
【００６１】
すなわち、本実施形態に係る警報監視制御システムによれば、アラーム発生時刻を認識した上で過去のプラント状態を迅速に把握することができ、プラント稼働率をより向上させるプラント警報監視制御システムを提供することができる。
【００６２】
上記のように、第１乃至第４実施形態に係るプラント警報監視制御システムによれば、ユーザが入力装置２０により所定の操作を行なったときにのみ更新される第２データベースＤＢ２を設けることによって、ユーザが調査すべきデータが消去されることがなくなる。上記システムにより、ユーザは簡易な操作でプラント異常を迅速に調査でき、かつ過去のプラント状態の直感的な把握ができる。すなわち、上記システムによりプラントのより的確な管理によるプラント稼働率を向上させることができる。
【００６３】
なお、本発明は上記実施形態そのままに限定されるものではなく、実施段階ではその要旨を逸脱しない範囲で構成要素を変形して具体化できる。さらに、本発明の用途は上記に限定するものではないため、例えばグラフィック画面のデモンストレーションやシミュレーションなどの用途にも対応でき、ユーザによってはさらなる乗数効果が発揮できる。
【００６４】
また、上記第１乃至第４実施形態では、出力装置１０が画像を表示する表示部を備えていたが、例えば、出力装置１０の外部にモニタ等が接続され、出力装置１０はモニタ等に表示させる画像を出力するように構成されてもよい。
【００６５】
また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００６６】
ＣＴＲ…コントローラ、ＨＭＩ…プラント警報監視制御装置、ＳＳ…センサ、Ｍ…共有メモリ、ＤＢＡ…アラームデータベース、ＤＢ１…第１データベース、ＤＢ２…第２データベース、１０…出力装置、１２…グラフィック画面、１２Ａ…スクロールバー、１２Ｂ、１２Ｃ…カーソル、１２Ｄ…操作ボタン、１４…ヒストリカルトレンド画面、１４Ａ、１４Ｂ…カーソル、１６…アラーム履歴画面、１６Ａ…ボタン、２０…入力装置、３０…処理装置、４０…ネットワーク。
【図１】
2011215832.tif 000003
【図２】
2011215832.tif 000004
【図３】
2011215832.tif 000005
【図４】
2011215832.tif 000006
【図５】
2011215832.tif 000007
【図６】
2011215832.tif 000008
【図７】
2011215832.tif 000009
【図８】
2011215832.tif 000010
【図９】
2011215832.tif 000011
【図１０】
2011215832.tif 000012
【図１１】
2011215832.tif 000013
【図１２】
2011215832.tif 000014